(57)【要約】      （修正有）【課題】被乾燥物に温風をより行き渡らせて、乾燥効率を向上させることのできる乾燥装置を提供する。【解決手段】吸気口と、吸気口から吸気した空気を加熱する加熱手段（ヒータ）と、加熱手段で加熱した空気を被乾燥物に対して吐出する吐出手段と、を備える乾燥装置であって、吐出手段（ノズル本体１５０等）は、吐出手段が被乾燥物に覆われた状態で、該被乾燥物を持ち上げて、加熱した空気の到達空間を拡張する空間拡張機構（可動ユニット１５２）を備える。【選択図】図５
2020014867.tif 000002
【特許請求の範囲】
【請求項１】
吸気口と、
該吸気口から吸気した空気を加熱する加熱手段と、
該加熱手段で加熱した空気を被乾燥物に対して吐出する吐出手段と、
を備える乾燥装置であって、
前記吐出手段は、該吐出手段が前記被乾燥物に覆われた状態で、該被乾燥物を持ち上げ
て、前記加熱した空気の到達空間を拡張する空間拡張機構を備える乾燥装置。
【請求項２】
前記吐出手段は、前記到達空間に空気を吹き出すノズル本体を備え、
前記空間拡張機構は、前記ノズル本体の一部を構成し、空気吹出し口を備えるノズルユニットに設けられる可動ユニットで構成され、
前記可動ユニットは、前記ノズルユニットに対して位置または姿勢を変更可能に設けられ、
前記可動ユニットの少なくとも一部は、前記ノズルユニットの通風方向と交差する方向に延出された延出状態と、前記ノズルユニットに沿って保持される収容状態とに選択的に変更し得るように構成されている請求項１に記載の乾燥装置。
【請求項３】
前記可動ユニットは、
前記ノズルユニットの通風方向と交差する方向に配置された回動軸により、前記ノズルユニットに対して回動可能に軸支されている請求項２に記載の乾燥装置。
【請求項４】
前記可動ユニットは、
前記収容状態において、前記ノズルユニットの上面の少なくとも一部を覆う上板部と、
前記ノズルユニットの側面の少なくとも一部を覆う側板部と、
を備え、
前記側板部は、前記回動軸により、前記ノズルユニットの側面に軸支されている請求項３に記載の乾燥装置。
【請求項５】
前記空気吹出し口は、
前記ノズルユニットの先端側に形成される主吹出し口と、側面または上面に形成される複数の補助吹出し口で構成され、
前記補助吹出し口は、前記収容状態において前記側板部によって閉塞され、前記延出状態において前記補助吹出し口が開放されように構成されている請求項４に記載の乾燥装置。
【請求項６】
前記加熱手段を収容する筐体と、
シロッコファンと、該シロッコファンを覆うスクロール形状のケーシングとから構成され、前記筐体に収容される送風手段と、
を備え、
前記筐体の背面側は、前記ケーシングの外周に沿って形成された第１の突部と、該第１の突部と離間した位置に形成された第２の突部とを備え、
前記筐体内において、前記第１の突部と前記第２の突部の間に対応する位置に前記加熱手段が配置されている請求項１から請求項５の何れか１項に記載の乾燥装置。
【請求項７】
前記加熱手段を構成し略矩形状を呈するヒータと、
該ヒータを前記筐体内で支持するヒータケースと、
前記ヒータケース内において、複数の離間した位置に設けられる温度検出部と、
をさらに備える請求項１から請求項６の何れか１項に記載の乾燥装置。
【発明の詳細な説明】
【技術分野】
【０００１】
本実施の形態は、布団や衣類などの被乾燥物を乾燥するために用いる乾燥装置に関する。
【背景技術】
【０００２】
従来から、布団などの被乾燥物を乾燥するための乾燥装置が知られている（例えば特許文献１）。
【先行技術文献】
【特許文献】
【０００３】
【特許文献１】特許第５７９２９０９号
【発明の概要】
【発明が解決しようとする課題】
【０００４】
ところで、上述のような乾燥装置は、例えば布団などの被乾燥物に温風を吹きかけて乾燥させているが、乾燥時間の更なる短縮や、ダブルサイズの布団などのより大きな被乾燥物も乾燥可能とすることが要望されている。
【０００５】
そのためには、布団などの被乾燥物に温風をより行き渡らせて、乾燥効率を高める必要がある。
【０００６】
本実施の形態は、被乾燥物に温風をより行き渡らせて、乾燥効率を向上させることのできる乾燥装置を提供する。
【課題を解決するための手段】
【０００７】
本実施の形態の一態様によれば、吸気口と、該吸気口から吸気した空気を加熱する加熱手段と、該加熱手段で加熱した空気を被乾燥物に対して吐出する吐出手段と、を備える乾燥装置であって、前記吐出手段は、該吐出手段が前記被乾燥物に覆われた状態で、該被乾燥物を持ち上げて、前記加熱した空気の到達空間を拡張する空間拡張機構を備える乾燥装置が提供される。
【発明の効果】
【０００８】
本実施の形態によれば、被乾燥物に温風をより行き渡らせて、乾燥効率を向上させることのできる乾燥装置を提供できる。
【図面の簡単な説明】
【０００９】
【図１】実施の形態に係る乾燥装置の全体構成を示す正面図（ａ）および後方側を示す斜視図（ｂ）。
【図２】実施の形態に係る乾燥装置の内部を示す分解斜視図。
【図３】実施の形態に係る乾燥装置の一側面を示す側面図。
【図４】実施の形態に係る乾燥装置の他の側面を示す側面図。
【図５】実施の形態に係る乾燥装置のノズル本体の要部を構成する可動ユニットの閉状態を示す斜視図（ａ）、開状態を示す斜視図（ｂ）。
【図６】実施の形態に係る乾燥装置のノズル本体の要部を構成する可動ユニットの閉状態を示す側面図（ａ）、開状態を示す側面図（ｂ）。
【図７】実施の形態に係る乾燥装置の使用状態の一例を示す説明図。
【図８】実施の形態に係る乾燥装置の内部構成を示す図４のＡ−Ａ断面図。
【図９】実施の形態に係る乾燥装置の要部を構成するヒータケースの内部構成を示す図８のＢ−Ｂ断面図。
【図１０】実施の形態に係る乾燥装置が備えるストッパ構造の構成例を示すノズルユニットの一部斜視図（ａ）および可動ユニットの裏面側の斜視図（ｂ）。
【発明を実施するための形態】
【００１０】
次に、図面を参照して、実施の形態を説明する。以下の図面の記載において、同一又は類似の部分には同一又は類似の符号を付している。
【００１１】
［乾燥装置の全体構成］
図１から図４を参照して、実施の形態に係る乾燥装置１の全体構成について説明する。
【００１２】
ここで、図１（ａ）は実施の形態に係る乾燥装置１の全体構成を示す正面図、図１（ｂ）は乾燥装置１の斜視図、図２は乾燥装置１の内部を示す分解斜視図、図３は乾燥装置１の一側面を示す側面図、図４は乾燥装置１の他の側面を示す側面図である。
【００１３】
なお、図１（ａ）のように、直立させた状態を基準として、乾燥装置１の右方向をＸ方向、奥行き方向をＹ方向、垂直方向をＺ方向と定義し、他の図面においても同様とする。
【００１４】
また、乾燥装置１において、後述する操作パネル３５等が設けられている面を正面、後述する第１の突部１３０等が設けられている面を背面、後述する吸気口２００ｃ（図２参照）等が設けられている面を右側面、後述する吸気口２００ｂ（図１（ｂ）参照）等が設けられている面を左側面、後述する吸気口２００ａ（図１（ｂ）参照）が設けられている面を底面と定義する。
【００１５】
図１および図２等に示すように、乾燥装置１は、吸気口２００ａ〜２００ｃと吐出部５１等を有する略直方体形状を呈する筐体３を備えている。
【００１６】
筐体３は、筐体本体３０と、蓋部材３１とから構成されている。なお、詳細な構成については省略するが、蓋部材３１の表面側には操作パネル３５が配置されている。また、蓋部材３１の裏面側には、図示しない制御基板が配置されている。
【００１７】
また、筐体３を直立させた状態（図１（ａ）参照）において、筐体本体３０および蓋部材３１の上部には、乾燥装置１を持ち運ぶ際に用いるハンドル３６が形成されている。
【００１８】
図２に示すように、筐体３内には、吸気口２００ａ〜２００ｃより吸引した空気を吐出部５１より吐出するシロッコファン３００（後出の図７参照）と、シロッコファン３００と吐出部５１との間に設置される加熱手段を構成するヒータＨ、シロッコファン３００の駆動源としてのモータＭ等が収容されている。
【００１９】
なお、筐体３内には、シロッコファン３００と、このシロッコファン３００を覆うスクロール形状のケーシングＣから構成される送風手段が設けられている（後出の図８参照）。
【００２０】
また、吐出部５１は、筺体３の上部に接続される筒状体であり、送風手段より得られる風を外部に吐出するように構成されている。
【００２１】
吐出部５１には、ホース５の一端が接続されている。ホース５は、可撓性を有するジャバラ状の構成を有し、乾燥装置１の不使用時には図１等に示すように曲げられた状態で収納される。また、ホース５は、図１（ａ）に示すようにＤ２方向に起こして延ばした状態で使用される。
【００２２】
なお、上記のような可撓性を有するホース５に代えて、可撓性を有しない金属や樹脂で成形されたソリッドなパイプ状のものなどで構成してもよい。
【００２３】
ホース５の他端には、吐出部５１から送給される空気を吹き出すノズル本体１５０が設けられている。ノズル本体１５０は、乾燥装置１の不使用時には図１等に示すように筐体３の一部に着装して収納され、布団乾燥等の使用時には筐体３から外した状態で用いられる。
【００２４】
なお、ノズル本体１５０は、ホース５の端部に接続する構成に限らず、筐体３に直接接続する構成としてもよいし、また、上述のようなソリッドなパイプなどの先端に接続する構成としてもよい。
【００２５】
上述の吐出部５１、ホース５、及びノズル本体１５０は、布団等の被乾燥物の間などに挿入させて、被乾燥物によって覆われた状態で加熱された空気を吐出する吐出手段を構成している。
【００２６】
なお、布団を乾燥させる際には、少なくともノズル本体１５０が布団等の被乾燥物に覆われていれば足り、必ずしも吐出部５１及びホース５を布団内に挿入させることは要しない。
【００２７】
また、ノズル本体１５０には、当該ノズル本体が布団等の被乾燥物に覆われた状態で、この被乾燥物を持ち上げて、加熱された空気の到達空間を拡張する空間拡張機構が設けられている。
【００２８】
空間拡張機構は、例えば、ノズル本体１５０が備える後述の可動ユニット１５２で構成される。
【００２９】
ここで、乾燥装置１による被乾燥物の乾燥実行状態において、ノズル本体１５０を介して加熱された空気は順次送り込まれ、時間の経過とともに布団等の被乾燥物の隙間から徐々に外部に逃げて行くこととなる。本実施の形態にいう「到達空間」とは、このようにしてノズル本体１５０を介して送り込まれた空気が、外部に逃げるまでの間、一時的に滞留する空間をいうものとする。即ち、「到達空間」とは、被乾燥物内に吐出手段を挿入した際に、被乾燥物によってノズル本体１５０の周りで形成される略閉止空間ともいえる。
【００３０】
図１（ｂ）、図３および図４に示すように、筐体３の背面側には、ケーシングＣの外周に沿って形成された第１の突部１３０が設けられている。また、第１の突部１３０から通風方向に離間した位置には、左右方向に延びる第２の突部１３１が形成されている。
【００３１】
そして、筐体３内において、第１の突部１３０と第２の突部１３１の間に対応する位置Ｐに加熱手段としてのヒータＨが配置されている。なお、第１の突部１３０と第２の突部１３１とは、背面側への突出量が同じになるように構成されている。
【００３２】
このような構成により、筐体３の背面側を床面や布団などの被乾燥物上に載置して乾燥装置１を使用する際には、第１の突部１３０と第２の突部１３１の間に対応する位置Ｐに空間が形成される。この空間により、筐体３を介した放熱が行われるため、ヒータＨの過昇温を抑制することができる。なお、ヒータＨを覆うヒータケース４００と筐体３との間には断熱材（例えば、ガラス繊維入りのアルミテープなどで構成される断熱シート等）４０１を介在させている（図３および後出の図８参照）ので、筐体３への伝熱を抑制することができる。
【００３３】
また、本実施の形態に係る乾燥装置１は、図１、図３および図４に示すように、筐体本体３０の底面に形成される底面吸気口２００ａに加えて、筐体本体３０の左右側面に形成される２つの側面吸気口２００ｂ、２００ｃを備えている。
【００３４】
これにより、吸気効率を高めて、ノズル本体１５０から吐出させる空気量を増やすことができ、乾燥効率を向上させることができる。
【００３５】
また、吸気口２００ａ〜２００ｃが乾燥装置１の３方向に設けられているので、図１（ａ）に示すような直立状態、図３および図４に示すような操作パネル３５を上方に向けた状態（所謂、布団乾燥状態）に加えて、側面吸気口２００ｃが上方となるように載置した状態（所謂、横倒し状態）の３態様の使用時において、十分な吸気を行うことができる。
【００３６】
なお、側面吸気口２００ｂが上方となるような使用状態は、想定されていない。モータＭの周辺に十分な空気を送って冷却することが難しくなるためである。
【００３７】
また、このような使用状態を未然に防止するために、制御基板（図示せず）等に傾斜センサ（傾斜スイッチ）を設け、側面吸気口２００ｂが上方となるような傾きを検知した場合には、ヒータＨ等の電源をオフにする安全機構が組み込まれている。
【００３８】
（ノズル本体および空間拡張機構の構成）
図５および図６を参照して、ノズル本体１５０の構成および空間拡張機構を構成するノズルユニット１５１、可動ユニット１５２の構成、動作について説明する。
【００３９】
図５（ａ）は、実施の形態に係る乾燥装置１のノズル本体１５０の要部を構成する可動ユニット１５２の閉状態を示す斜視図、図５（ｂ）は、可動ユニット１５２の開状態を示す斜視図である。
【００４０】
図６（ａ）は、乾燥装置１の可動ユニット１５２の閉状態を示す側面図、図６（ｂ）は、可動ユニット１５２の開状態を示す側面図である。
【００４１】
ノズル本体１５０は、ホース５の先端側に配置されるノズルユニット１５１と、ノズルユニット１５１に設けられた可動ユニット１５２とで構成されている。
【００４２】
図５および図６に示すように、ノズルユニット１５１の前端部（図６（ａ）、（ｂ）上の左側端部）には、主吹出し口としての前面吹出し口１７０が設けられている。なお、前面吹出し口１７０には、靴の乾燥時に用いるアタッチメントや、芳香を出すためのアロマケース等のオプション品を取付けることもできる。
【００４３】
また、ノズルユニット１５１の左右側面には、複数のスリット状の補助吹出し口１８０が設けられている。これにより、前面吹出し口１７０からの空気流に加えて、補助吹出し口１８０からも空気流を吐出させることができ、布団等の被乾燥物の乾燥効率を向上させることができる。なお、補助吹出し口をノズルユニット１５１の上面に設けるようにしてもよい。
【００４４】
ノズルユニット１５１の後端部（図６（ａ）、（ｂ）上の右側端部）には、ホース５に回転自在に接続される接続部１６０が設けられている。つまり、ノズルユニット１５１の後端部は、ホース５に対してノズルユニット１５１の通風方向、即ちホース５より主吹出し口１７０に至る方向（図６（ａ）、（ｂ）におけるＺ方向）と平行な軸を中心に回動自在に接続されている。これにより、布団等の被乾燥物に対して乾燥に最適な向きにノズル本体１５０を設置することができ、またノズル本体１５０の向きによってホース５が捩れる事態を回避できる。
【００４５】
空間拡張機構を構成する可動ユニット１５２は、ノズルユニット１５１に対して姿勢を変更可能に設けられている。
【００４６】
より具体的には、可動ユニット１５２は、通風方向と直交する方向に延出された延出状態（図５（ｂ）および図６（ｂ）参照）と、ノズルユニット１５１に沿って保持される収容状態（図５（ａ）および図６（ａ）参照）とに選択的に変更し得るように構成されている。
【００４７】
なお、可動ユニット１５２の延出方向は、通風方向と直交する方向に限定されず、当該通風方向と交差する方向であればよい。
【００４８】
図５および図６に示す構成例では、可動ユニット１５２は、ノズルユニット１５１の通風方向と交差する方向に配置された回動軸１５５により、ノズルユニット１５１に対して矢印Ｄ１方向（図５（ｂ）および図６（ｂ）参照）に回動可能に軸支されている。
【００４９】
また、可動ユニット１５２は、収容状態において、ノズルユニット１５１の上面の少なくとも一部を覆う上板部１５２ａと、ノズルユニット１５１の両側面部を覆う側板部１５２ｂ、１５２ｃとを備えている。
【００５０】
そして、側板部１５２ｂ、１５２ｃは、回動軸１５５により、ノズルユニット１５１の側面に軸支されている。
【００５１】
より具体的には、側板部１５２ｂ、１５２ｃの内側に、突起状の回動軸１５５が一体的に形成（図５（ｂ）参照）されており、ノズルユニット１５１の側壁に形成された係合孔（図示せず）に回動軸１５５の先端部が回動可能に係合されている。
【００５２】
また、ノズルユニット１５１および可動ユニット１５２には、可動ユニット１５２を収容状態（図５（ａ）および図６（ａ）の状態）で保持すると共に、可動ユニット１５２を延出状態（図５（ｂ）および図６（ｂ）の状態）で保持するストッパ機構が設けられている。
【００５３】
ここで、図１０を参照して、ストッパ機構の構成例について説明する。
【００５４】
図１０（ａ）は、乾燥装置１が備えるストッパ構造の構成例を示すノズルユニット１５１の一部斜視図、図１０（ｂ）は、可動ユニット１５２の裏面側の斜視図である。
【００５５】
図１０（ａ）に示すように、ノズルユニット１５１の図上における後端側に位置する回動軸の軸受部１５７の周縁には、ストッパ用の２つの突起９０１ａ、９０１ｂが形成されている。
【００５６】
一方、図１０（ｂ）に示すように、ノズルユニット１５１に回動可能に係合される可動ユニット１５２の回動軸１５５の周面には、ノズルユニット１５１側の突起９０１ａ、９０１ｂによって係止可能な突起９０２が一体的に形成されている。
【００５７】
そして、可動ユニット１５２の収容状態においては、可動ユニット１５２側の突起９０２は、ノズルユニット１５１側の突起９０１ａによって係止される。また、可動ユニット１５２の延出状態においては、可動ユニット１５２側の突起９０２は、ノズルユニット１５１側の突起９０１ｂによって係止される。
【００５８】
このようにして、ストッパ機構により、可動ユニット１５２は、収容状態と延出状態のそれぞれの位置で、触れた程度では容易には移動しないように保持される。
【００５９】
また、接続部１６０の後端部側（図６（ａ）上の右端部側）には、突起状の補助ストッパ１６１が形成されている。
【００６０】
これにより、図６（ｂ）に示すように、可動ユニット１５２の先端部は、延出状態において、図６（ｂ）上の右端部側に傾いた状態で保持される。
【００６１】
したがって、ノズル本体１５０を布団等の被乾燥物の間などに差し込む際（挿入する際）に、可動ユニット１５２の延出状態を保持することができる。
【００６２】
なお、上述の構成例では、図５等に示すように、回動軸１５５は上下方向（Ｙ方向）と交差する左右方向（Ｘ方向）に配置されているが、これに限らず、回動軸が上下方向（Ｙ方向）と交差して設けられる構成であれば、被乾燥物を持ち上げて加熱された空気の到達空間を拡張するという同様の効果を得ることができる。
【００６３】
ノズル本体１５０は、このような構成により、可動ユニット１５２がノズルユニット１５１の上方に延出された延出状態では、布団等の被乾燥物を可動ユニット１５２の先端側で持ち上げることができ、加熱空気の到達空間を拡張（増大）させることが可能となる。
【００６４】
ここで、図７を参照して、本実施の形態に係る乾燥装置の使用状態の一例について説明する。
【００６５】
図７に示す使用例では、被乾燥物としての敷き布団８００の上に、他の被乾燥物としての掛け布団８０１を掛けた状態で、吐出手段の一部を構成するホース５及びノズル本体１５０を敷き布団８００と掛け布団８０１との間に挿入させて、掛け布団８０１によって覆われるようにする。この際、ノズルユニット１５１に対して、空間拡張機構を構成する可動ユニット１５２を回動させて延出状態としている。
【００６６】
これにより、被乾燥物としての掛け布団８０１を持ち上げて加熱空気の到達空間８５０を拡張することができる。
【００６７】
このような状態で、ホース５を介して温風を送給すると、ノズルユニット１５１の前面吹出し口１７０および補助吹出し口１８０から温風が吹き出される。
【００６８】
そして、温風は、図７上に示す矢印のように、空間８５０内の上部にまで回り込んで広く行き渡り、被乾燥物としての掛け布団８０１および敷き布団８００をより効率的に乾燥させることができる。
【００６９】
したがって、例えばダブルサイズの布団等の比較的大きな被乾燥物であってもより効率的に乾燥させることが可能となる。
【００７０】
なお、図５（ｂ）および図６（ｂ）に示すように、可動ユニット１５２の側板部１５２ｂ、１５２ｃの上方の角部１５２ｄ，１５２ｅは丸みを帯びた形状とされているので、布団等の被乾燥物に引っ掛かることを抑制することができる。
【００７１】
また、可動ユニット１５２の側板部１５２ｂ、１５２ｃの縁部には半円状の指掛け部１５６が形成されているので、可動ユニット１５２の収容状態から延出状態への移行を容易に行うことができる。
【００７２】
さらに、可動ユニット１５２がノズルユニット１５１に沿って保持される収容状態において、ノズルユニット１５１の両側面部に形成された補助吹出し口１８０は、可動ユニット１５２の側板部１５２ｂ、１５２ｃで閉塞されるので、補助吹出し口１８０からノズルユニット１５１内への塵埃の侵入を防止することができる。加えて、乾燥装置１の不使用時には図１等に示すようにホース５を曲げた状態で収納することで、前面吹出し口１７０は筺体３の上面と対向して閉止されるため、前面吹出し口３からの塵芥の侵入も防止できる。従って、収納状態においてノズルユニット１５１内を清浄に保つことが可能となっている。
【００７３】
なお、図５および図６に示す例では、側板部１５２ｂ、１５２ｃは、補助吹出し口１８０が形成されたノズルユニット１５１の側面の大部分を覆うようにしているが、これには限定されず、少なくとも補助吹出し口１８０を覆う構成となっていればよい。
【００７４】
また、上板部１５２ａについても少なくとも一部を覆っていればよい。
【００７５】
また、本実施の形態では、空間拡張機構の一部を構成する可動ユニット１５２を回動させる構成について説明したが、これには限定されず、上下方向（Ｙ方向）にスライドするなど伸縮可能な構成等として、可動ユニット１５２の位置を変更するようにしてもよい。
【００７６】
また、可動ユニット１５２自体が、図６における左右方向（Ｘ方向）に回動するようにしてもよい。
【００７７】
さらに、空間拡張機構の一部を構成する可動ユニット１５２をノズルユニット１５１に複数設けるようにしてもよい。
【００７８】
上述のような空間拡張機構に代えて、ノズルユニット１５１の上面等に形成した空気吹出し口から吹き出される加熱空気の空気圧で被乾燥物内の空間８５０を拡張するようにしてもよい。即ち、例えば、上面等に形成した空気吹出し口にバルーンを設け、このバルーンの膨張により被乾燥物内の空間８５０を拡張するようにしてもよい。
【００７９】
また、可動ユニット１５２をモータ等の動力によって揺動可能に構成し、間欠的に被乾燥物内の空間８５０を拡張するようにしてもよい。即ち、例えば、ノズルユニット１５１の上方に、可動ユニット１５２を所定の制御装置によって間欠的に揺動させる揺動機構を設けるようにできる。
【００８０】
（加熱手段の構成）
図８および図９を参照して本実施の形態に係る乾燥装置１が備える加熱手段について説明する。
【００８１】
ここで、図８は、実施の形態に係る乾燥装置１の内部構成を示す図４のＡ−Ａ断面図、図９は、乾燥装置１の要部を構成するヒータケース４００の内部構成を示す図８のＢ−Ｂ断面図である。
【００８２】
本実施の形態に係る乾燥装置１において、加熱手段は、略矩形状を呈するヒータＨと、このヒータＨを筐体３内で支持するヒータケース４００とから構成されている。
【００８３】
ヒータＨは、例えばＰＴＣ（Ｐｏｓｉｔｉｖｅ  Ｔｅｍｐｅｒａｔｕｒｅ  Ｃｏｅｆｆｉｃｉｅｎｔ）ヒータ等で構成される。なお、図９に示すように、ヒータＨには３本の給電ケーブル５０１が設けられている。
【００８４】
また、ヒータケース４００は、耐熱性樹脂等で筒状に成形されている。
【００８５】
ヒータケース４００内において、複数（図８、図９に示す構成例では２箇所）の離間した位置に、温度検出部としてのサーミスタＳ１，Ｓ２が設けられている。
【００８６】
より具体的には、サーミスタＳ１は、図８に示すように乾燥装置１を直立させた状態において、ヒータＨの一辺の幅方向の略中央上方に設けられている。なお、サーミスタＳ１の両端からは接続コード４０２が延伸され、上述の制御基板等に接続されている。また、サーミスタＳ１自体は、ヒータケース４００内に形成されたフック４０１により係止されている。
【００８７】
一方、サーミスタＳ２は、図８に示すように乾燥装置１を直立させた状態において、ヒータＨの前記一辺の角部の上方に設けられている。
【００８８】
また、サーミスタＳ２の両端から接続コード４０４が延伸され、上述の制御基板等に接続されている。また、サーミスタＳ２自体は、ヒータケース４００内に形成されたフック４０３により係止されている。
【００８９】
なお、サーミスタＳ１，Ｓ２は、サーミスタＳ２の温度検知部（直管状の略中央部）の位置が、サーミスタＳ１の温度検知部（コ字状に曲げられた直管状の略中央部）の位置よりも、ヒータＨの表面に近くなるように配置されている。サーミスタＳ１は、ヒータＨを通過した温風を受ける位置において温風の流れと直交する向きに配されていることから、温風の温度を効率よく検知することができる。
【００９０】
他方、サーミスタＳ２は、ヒータＨの隅部近傍においてヒータＨ表面と直交する向きに配されていることから、ヒータＨより発せられる放射熱を受け、ヒータＨの温度を効率よく検知することができる。
【００９１】
このような構成により、乾燥装置１の使用時において種々の姿勢になった場合でも、ヒータＨの温度をより正確に検知することができる。
【００９２】
即ち、図３および図４に示すように、操作パネル３５を上側にした姿勢で乾燥装置１を使用する際において、布団等の被乾燥物などを乾燥させるための送風時には、主にサーミスタＳ１で温度検知を行う。
【００９３】
一方、送風停止時には、主にサーミスタＳ２で温度検知を行う。これにより、送風停止時において、ヒータＨにより近い位置に配置されているサーミスタＳ２によって、より正確な温度検知を行うことができ、安全性を向上させることができる。
【００９４】
なお、ここでいう送風停止とは、操作パネル３５（図１参照）の操作により、操作者が意図的に送風を停止させる場合に加え、異常検知時の制御や機械的損傷等による操作者の意図しない停止も含む。
【００９５】
また、図８等に示すように、直立させた姿勢で乾燥装置１を使用する際において、靴等の被乾燥物などを乾燥させるための送風時には、主にサーミスタＳ１で温度検知を行う。
【００９６】
一方、送風停止時には、サーミスタＳ１およびＳ２で温度検知を行う。これにより、送風停止時において、より正確な温度検知を行うことができ、安全性を向上させることができる。
【００９７】
また、横倒しの姿勢で乾燥装置１を使用する際において、布団等の被乾燥物などを乾燥させるための送風時には、主にサーミスタＳ１で温度検知を行う。
【００９８】
一方、送風停止時には、サーミスタＳ２で温度検知を行う。これにより、送風停止時において、ヒータＨの上方に位置するサーミスタＳ２で、より正確な温度検知を行うことができ、安全性を向上させることができる。
【００９９】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【産業上の利用可能性】
【０１００】
本実施の形態の乾燥装置は、布団、靴等の被乾燥物の乾燥に適用できる。
【符号の説明】
【０１０１】
１…乾燥装置
３…筐体
５…ホース
３０…筐体本体
３１…蓋部材
３５…操作パネル
５１…吐出部
１３０…第１の突部
１３１…第２の突部
１５０…ノズル本体
１５１…ノズルユニット
１５２…可動ユニット（空間拡張機構）
１５２ａ…上板部
１５２ｂ、１５２ｃ…側板部
１５５…回動軸
１７０…前面吹出し口（主吹出し口）
１８０…補助吹出し口
２００ａ…底面吸気口
２００ｂ、２００ｃ…側面吸気口
３００…シロッコファン
４００…ヒータケース
Ｈ…ヒータ
Ｍ…モータ
Ｓ１、Ｓ２…サーミスタ（温度検出部）
８０１…掛け布団（被乾燥物）
８５０…加熱空気の到達空間
９０１ａ、９０１ｂ、９０２…突起
【図１】
2020014867.tif 000003
【図２】
2020014867.tif 000004
【図３】
2020014867.tif 000005
【図４】
2020014867.tif 000006
【図５】
2020014867.tif 000007
【図６】
2020014867.tif 000008
【図７】
2020014867.tif 000009
【図８】
2020014867.tif 000010
【図９】
2020014867.tif 000011
【図１０】
2020014867.tif 000012
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
送風手段と、
前記送風手段により吸気口から吸気した空気を加熱する加熱手段と、
前記加熱手段で加熱した空気を吐出する吐出手段と、
前記加熱手段を収容するヒータケースと、
前記加熱手段より下流側に配された温度検出部と、を備え、
前記温度検出部は、前記ヒータケースにおける流路の方向に対して直交する向きとなるよう、前記流路に配される、乾燥装置。
【請求項２】
前記ヒータケースには、前記温度検出部が前記流路の方向に対して直交する向きとなる状態で、前記温度検出部が係止される、請求項１に記載の乾燥装置。
【請求項３】
前記温度検出部と接続コードを介して接続され、前記加熱手段を制御する制御基板を備え、
前記ヒータケースには、前記温度検出部が前記流路の方向に対して直交する向きとなる状態で、前記接続コードが係止される、請求項１または請求項２に記載の乾燥装置。
【請求項４】
前記温度検出部を第１温度検出部として、該第１温度検出部とは別に第２温度検出部を備え、
前記第２温度検出部は、前記第１温度検出部と離間して、前記ヒータケースに配される、請求項１から請求項３の何れか１項に記載の乾燥装置。
【請求項５】
前記吐出手段は、被乾燥物に覆われた状態で、前記加熱手段により加熱された空気の到達空間を拡張する空間拡張機構を備える、請求項１から請求項４の何れか１項に記載の乾燥装置。
【手続補正２】
【補正対象書類名】明細書
【補正対象項目名】０００５
【補正方法】変更
【補正の内容】
【０００５】
そのためには、加熱手段による温風の温度を効率よく検知することが好ましい。
【手続補正３】
【補正対象書類名】明細書
【補正対象項目名】０００６
【補正方法】変更
【補正の内容】
【０００６】
本実施の形態は、加熱手段による温風の温度を効率よく検知することが可能な乾燥装置を提供する。
【手続補正４】
【補正対象書類名】明細書
【補正対象項目名】０００７
【補正方法】変更
【補正の内容】
【０００７】
本実施の形態の一態様によれば、送風手段と、前記送風手段により吸気口から吸気した空気を加熱する加熱手段と、前記加熱手段で加熱した空気を吐出する吐出手段と、前記加熱手段を収容するヒータケースと、前記加熱手段より下流側に配された温度検出部と、を備え、前記温度検出部は、前記ヒータケースにおける流路の方向に対して直交する向きとなるよう、前記流路に配される乾燥装置が提供される。
【手続補正５】
【補正対象書類名】明細書
【補正対象項目名】０００８
【補正方法】変更
【補正の内容】
【０００８】
本実施の形態によれば、加熱手段による温風の温度を効率よく検知することが可能な乾燥装置を提供できる。